【手続補正書】
【提出日】平成18年11月16日(2006.11.16)
【手続補正１】
【補正対象書類名】明細書
【補正対象項目名】特許請求の範囲
【補正方法】変更
【補正の内容】
【特許請求の範囲】    【請求項１】  駆動ソケットを備えた第１の端部と、駆動スタッドを備えた第２の端部と、それらの間に延びる中間部分とを備えたシャフトと、  該第１と第２の端部の間で該シャフトの回りに回転可能に取り付けられている取っ手であって、該シャフトを実質的に完全に囲んで、該シャフトに沿って延びる掴み面を備える取っ手と、  該取っ手を該シャフトに結びつけるラチェット機構と、を備えている延長バー。    【請求項２】  該ラチェット機構は、該取っ手と該シャフトのうち一方に結合された歯付き要素と、該取っ手と該シャフトのうち他方に結合された爪とを備え、前記爪は、該歯付き要素に選択的に噛み合うように配置されていることを特徴とする請求項１に記載の延長バー。    【請求項３】  該ラチェット機構は、該爪が該歯付き要素から離れて、該取っ手が該シャフト上で束縛されない中立位置に該爪を保持する手段を更に備えていることを特徴とする請求項２に記載の延長バー。    【請求項４】  該シャフトの該駆動スタッドに取り付けられた急速解除機構を更に備えていることを特徴とする請求項１に記載の延長バー。    【請求項５】  該急速解除機構は、  該駆動スタッドに設けられた斜めに延びる通路を通って延びるピンを備え、前記ピンは、駆動スタッドのところに配置された第１の端部と、第２の端部とを備えることを特徴とする請求項４に記載の延長バー。    【請求項６】  該急速解除機構は、  該ピンの第２の端部に当接すると共に該シャフトを取り囲むリングを更に備えていることを特徴とする請求項５に記載の延長バー。    【請求項７】  該急速解除機構は、該リングを該ピンの第２の端部に押し付けるスプリングを更に備えることを特徴とする請求項６に記載の延長バー。    【請求項８】  該急速解除機構は、該ピンを該リングに押し付ける解除スプリングを更に有することを特徴とする請求項７に記載の延長バー。    【請求項９】  該リングは、該シャフトに対して実質的に垂直に向いた中間平面の回りに実質的に対称であることを特徴とする請求項６に記載の延長バー。    【請求項１０】  該リングは、該シャフトに対して実質的に垂直に向いた中間平面の回りに実質的に対称であることを特徴とする請求項７又は８に記載の延長バー。    【請求項１１】  該リング及び該スプリングの周りに延びるカラーを更に備え、前記カラーは、該リングを前記通路から持ち上げるよう該シャフトに沿って摺動可能であることを特徴とする請求項７又は９に記載の延長バー。    【請求項１２】  該ラチェット機構は、該取っ手が該シャフト上で束縛されない中立位置を有していることを特徴とする請求項１に記載の延長バー。    【請求項１３】  非真円の駆動部分を備えた駆動スタッドと、隣接部分と、該駆動部分の第１の端部と（前記隣接部分のところにある）第２の端部との間で該駆動スタッドによって定められる長手方向軸線に対して斜めに延びる通路とを備え、前記非真円部分は、ツールアタッチメント内に嵌入してこれにトルクを及ぼすように形作られており、前記通路内にはツールアタッチメント係合位置とツールアタッチメント解除位置との間で摺動するように摺動可能に受け入れられた係止要素が設けられている工具の急速解除機構において、  該シャフトを��り囲み、該係止要素に接触するように配置され、前記長手方向軸に対して実質的に垂直に向けられた中間平面の回りに対称であるリングと、該リングを該係止要素に押し付けるスプリングとを備える急速解除機構。    【請求項１４】  該リング及び該スプリングの周りに延びるカラーを更に備え、前記カラーは、該リングを該係止要素から持ち上げるよう該隣接した部分に沿って摺動できることを特徴とする請求項１３に記載の急速解除機構。    【請求項１５】  該リングは、実質的に互いに平行に向いた第１及び第２の側面を備え、該側面のうち一方は、該係止要素に接触すること特徴とする請求項１３に記載の急速解除機構。    【請求項１６】  該係止要素を該リングに押し付ける解除スプリングを更に備えることを特徴とする請求項１３、１４又は１５記載の急速解除機構。    【請求項１７】  該掴み面は、該シャフトの第１の端部と第２の端部との間に延びる線に全体として平行に向けられている請求項１に記載の延長バー。    【請求項１８】  該掴み面は、形状が全体として筒状であり、該掴み面は、該シャフトの周りに延びていることを特徴とする請求項１に記載の延長バー。    【請求項１９】  該掴み面の大部分は、該駆動ソケットと該駆動スタッドとの間に位置している請求項１に記載の延長バー。    【請求項２０】  非真円の駆動部分を備えた駆動スタッドと、隣接部分と、該駆動部分の第１の端部と（前記隣接部分のところにある）第２の端部との間で駆動スタッドによって定められる長手方向軸線に対して斜めに延びる通路とを備え、前記非真円部分は、ツールアタッチメント内に嵌入してこれにトルクを及ぼすように形作られており、前記通路内にはツールアタッチメント係合位置とツールアタッチメント解除位置との間で摺動するように摺動可能に受け入れられた係止要素が設けられている工具の急速解除機構において、  該シャフトを取り囲み、該係止要素に接触するように配置され、第１及び第２の互いに反対側に位置していて実質的に平行な面を有し、前記平行な面のうち一方は、該係止要素に接しているリングを備える急速解除機構。    【請求項２１】  該ラチェット機構は、少なくとも時計回りのラチェット動作及び反時計回りのラチェット動作を選択するために、利用者により操作可能なラチェット動作方向制御要素を有していることを特徴とする請求項１に記載の延長バー。    【請求項２２】  該ラチェット動作方向制御要素は、該シャフトの周りに延びるリングを備えている請求項２１に記載の延長バー。    【請求項２３】  該取っ手は少なくとも一部が、該駆動ソケットと該ラチェット動作方向制御要素との間に位置していることを特徴とする請求項２１に記載の延長バー。    【請求項２４】  該ラチェット動作方向制御要素は、少なくとも一部が、該駆動スタッドに向いた該ラチェット機構の側部上に設けられている、請求項２１に記載の延長バー。    【請求項２５】  該ラチェット動作方向制御要素は、該シャフトから、該駆動ソケットと該駆動スタッドとの中間の位置で半径方向外方に延びている請求項２１に記載の延長バー。    【請求項２６】  駆動ソケットを備えた第１の端部と、駆動スタッドを備えた第２の端部と、それらの間に延びる中間部分とを備えたシャフトと、  ���第１と第２の端部の間で該シャフトの回りに回転可能に取り付けられている取っ手と、  該取っ手を該シャフトに結びつけるラチェット機構と、を備え、  前記ラチェット機構は、シャフトと共に回転するよう設けられた爪と、取っ手と共に回転するよう取り付けられた内歯付き要素とを備える延長バー。    【請求項２７】  駆動ソケットを備えた第１の端部と、駆動スタッドを備えた第２の端部と、それらの間に延びる中間部分とを備えた一体シャフトと、  該第１と第２の端部の間で該シャフトの回りに回転可能に取り付けられている取っ手であって、前記取っ手は、シャフトの少なくとも２つの反対側の側部でシャフトのそばに沿って延びる掴み面を備える取っ手と、  該取っ手を該シャフトに結びつけるラチェット機構と、を備える延長バー。    【請求項２８】  駆動ソケットを備えた第１の端部と、駆動スタッドを備えた第２の端部と、それらの間に延びる中間部分とを備えたシャフトと、  該第１と第２の端部の間で該シャフトの回りに回転可能に取り付けられている取っ手であって、前記取っ手は、シャフトの少なくとも２つの反対側の側部でシャフトのそばに沿って延びる掴み面を備える取っ手と、  該取っ手を該シャフトに結びつけるラチェット機構と、を備える延長バー。    【請求項２９】  駆動ソケットを備えた第１の端部と、駆動スタッドを備えた第２の端部と、それらの間に延びる中間部分とを備えたシャフトと、  該第１と第２の端部の間で該シャフトの回りに回転可能に取り付けられている取っ手と、  該取っ手を該シャフトに結びつけるラチェット機構と、  該ラチェット機構は、シャフトと共に回転するように取り付けられた爪と、ハンドルと共に回転するように取り付けられた内歯付き要素とを備える延長バー。【手続補正２】
【補正対象書類名】明細書
【補正対象項目名】０００７
【補正方法】変更
【補正の内容】
【０００７】  開示した延長バーは、構造が特に簡単で組立てに有する費用が安い急速解除機構を含む。特に、図示の急速解除機構は、斜めに延びる通路内で摺動するピンを有している。ピンは、スプリングによって選択された方向に付勢され、このスプリングはリングに当接し、リングはピンに当接している。このリングは、シャフトに対して垂直に向いた中間平面の回りに対称であり、かくして、リングをいずれの方向でも組み立てることができ、しかもリングはその機能を正しく発揮する。これにより、組立て時にリングを選択方向に差し向ける必要がなく、それにより組立てが簡単になる。
【手続補正３】
【補正対象書類名】明細書
【補正対象項目名】００１３
【補正方法】変更
【補正の内容】
【００１３】  図３を参照すると、スプリング４２は、爪３４の中心位置で示されている。この中心位置では、スプリング４２は、爪３４を中立位置に保持する手段として働き、この中立位置では、爪３４は、歯付き要素３０と非接触状態に維持され、取っ手１４は、シャフト１２に対して長手方向軸線Ｌ回りに空動きするようになっている。戻止め機構を、例えば突起５０，５１又は爪３４の後面（図３）と関連して任意適当な位置に設けて爪３４を中立位置に保持するのがよい。この中立位置では、取っ手１４が、シャフト１２を駆動ソケット１８と係合したツール、例えばソケットレンチ（図示せず）によって回転させている間、シャフト１２を安定化するよう用いることができる。
【手続補正４】
【補正対象書類名】明細書
【補正対象項目名】００１５
【補正方法】変更
【補正の内容】
【００１５】  図２を参照すると、急速解除機構１６は、多くの点において、米国特許第５，６４４，９５８号に記載された急速解除機構と類似しており、かかる米国特許の開示内容全体を急速解除機構１６の適当な構造を教示するものとして本明細書の一部を形成する形でここに引用する。米国特許第５，６４４，９５８号に詳細に記載されているように、急速解除機構１６は、係止要素を有し、この係止要素はこの実施形態では、ピン５６の形態をしている。ピン５６は、通路５８内を摺動し、この通路は、長手方向軸線Ｌに対して斜めに差し向けられていて、非真円駆動部分２２及びこれに隣接した部分２４に設けられた開口部相互間に延びている。ピン５６は、非真円駆動部分２２のところに位置した第１の端部６０及び隣接部分２４のところに位置した第２の端部６２を有している。ピン５６は、第１の端部６０がツールアタッチメント、例えばソケットに係合してツールアタッチメントを駆動部分２２上の定位置に保持するよう位置決めされるツールアタッチメント係合位置（図２に示す）と、別の位置、即ち、第１の端部６０が通路５８内に実質的に受け入れられ、ツールアタッチメントが駆動部分２２から解除されるツールアタッチメント解除位置（図示していないが、米国特許第５，６４４，９５８号に示す位置と類似している）との間で通路５８内を動くことができる。ピン５６は、解除スプリング６４によって非真円駆動部分２２から押し離される。
【手続補正５】
【補正対象書類名】明細書
【補正対象項目名】００１８
【補正方法】変更
【補正の内容】
【００１８】  上記のことから、改良型延長バーは、ラチェット動作式取っ手１４を有するものとして説明したことは明らかである。制御リング４８を用いると、ラチェット機構を時計回りのラチェット動作、反時計回りのラチェット動作又は空回り動作が可能になるように設定することができる。時計回り又は反時計回りのラチェット動作を選択した場合、取っ手１４を用いると、ねじを駆動スタッド２０に取り付けられたツールアタッチメント、例えば六角ツール、トルクスツール、ソケット取付け型ビット（スロット付き、十字穴付き又はトルクス）又はソケット（図示せず）を用いて締め付けたり弛めたりすることができる。ラチェット機構を空回り位置に位置決めすると、空回り取っ手１４を、駆動ソケット１８に係合した従来型ソケットレンチ（図示せず）によってシャフト１２を回転させている時にシャフト１２を安定化させるガイドとして用いることができる。上述の改良型急速解除機構は、リング６８の形状が対称であることを考慮すると組立てが特に簡単である。